【手続補正書】
【提出日】平成22年3月16日(2010.3.16)
【手続補正１】
【補正対象書類名】特許請求の範囲
【補正対象項目名】全文
【補正方法】変更
【補正の内容】
【特許請求の範囲】
【請求項１】
人物が含まれる画像を撮像する撮像方法において、
本撮影の実行指示に応じて焦点位置を変えて複数枚の画像を撮像する工程と、
撮像された画像のうち特定の画像を基準画像とし、該基準画像から人物の顔又は目を検出し、検出された人物の顔又は目を囲う領域を合焦評価領域に設定する工程と、
撮像された画像ごとに前記合焦評価領域における合焦評価値を算出する工程と、
合焦評価値が最も高い画像を選択する工程と、
選択された画像を記録する工程と、
からなることを特徴とする撮像方法。
【請求項２】
複数の人物が含まれる画像を撮像する撮像方法において、
本撮影の実行指示に応じて焦点位置を変えて複数枚の画像を撮像する工程と、
撮像された画像ごとに顔又は目らしさの評価値を算出して、人物の顔又は目を検出する工程と、
検出された人物の顔又は目ごとに顔又は目らしさの評価値の加重平均値を算出する工程と、
顔又は目らしさの評価値の加重平均値が最も高い人物の顔又は目を選択し、撮像された画像のうち特定の画像を基準画像として、該基準画像中で該人物の顔又は目を囲う領域を合焦評価領域に設定する工程と、
撮像された画像ごとに前記合焦評価領域における合焦評価値を算出する工程と、
合焦評価値が最も高い画像を選択する工程と、
選択された画像を記録する工程と、
からなることを特徴とする撮像方法。
【請求項３】
複数の人物が含まれる画像を撮像する撮像方法において、
本撮影の実行指示に応じて焦点位置を変えて複数枚の画像を撮像する工程と、
撮像された画像ごとに顔又は目らしさの評価値を算出して、人物の顔又は目を検出する工程と、
撮像された各画像から最も顔又は目らしさの評価値が高い人物の顔又は目を選択する工程と、
最も顔又は目らしさの評価値が高い人物の顔又は目として選択された回数が最も高い人物の顔又は目を選択し、撮像された画像のうち特定の画像を基準画像として、該基準画像中で該人物の顔又は目を囲う領域を合焦評価領域に設定する工程と、
撮像された画像ごとに前記合焦評価領域における合焦評価値を算出する工程と、
合焦評価値が最も高い画像を選択する工程と、
選択された画像を記録する工程と、
からなることを特徴とする撮像方法。
【請求項４】
複数の人物が含まれる画像を撮像する撮像方法において、
本撮影の実行指示に応じて焦点位置を変えて複数枚の画像を撮像する工程と、
撮像された画像のうち特定の画像を基準画像とし、該基準画像から顔又は目らしさの評価値を算出して、人物の顔又は目を検出する工程と、
検出された人物の顔又は目の中で顔又は目らしさの評価値が最も高い人物の顔又は目を選択し、前記基準画像中で該人物の顔又は目を囲う領域を合焦評価領域に設定する工程と、
撮像された画像ごとに前記合焦評価領域における合焦評価値を算出する工程と、
合焦評価値が最も高い画像を選択する工程と、
選択された画像を記録する工程と、
からなることを特徴とする撮像方法。
【請求項５】
各画像の動きベクトルを取得し、取得した動きベクトルに基づいて各画像に設定する合焦評価領域、又は、各画像全体を補正することを特徴とする請求項１〜４のいずれか一に記載の撮像方法。
【請求項６】
前記本撮影の実行が指示されるまで、主要被写体に焦点を合わし続ける工程を含み、前記基準画像は、最初に撮像された画像とすることを特徴とする請求項１〜５のいずれか一項に記載の撮像方法。
【請求項７】
前記本撮影の実行が指示されるまで、主要被写体に焦点を合わし続ける工程では、人物の顔検出を行って、人物の顔に焦点を合わし続けることを特徴とする請求項６に記載の撮像方法。
【請求項８】
前記本撮影の実行指示に応じて焦点位置を変えて複数枚の画像を撮像する工程では、所定距離離れた位置の被写体に焦点が合う位置に初期の焦点位置を設定して焦点位置を変えて複数枚の画像を撮像し、前記基準画像は、最初に撮像された画像とすることを特徴とする請求項１〜５のいずれか一項に記載の撮像方法。
【請求項９】
選択された画像を記録する前に、
選択された画像を表示手段に表示する工程と、
前記表示手段に表示された画像の記録の要／不要を選択する工程と、
を含み、記録の要が選択された場合にのみ前記表示手段に表示された画像を記録することを特徴とする請求項１〜８のいずれか一に記載の撮像方法。
【請求項１０】
記録の不要が選択された場合に、
撮像された複数枚の画像の中から前記合焦評価値が次に高い画像を選択する工程と、
選択された画像を表示手段に表示する工程と、
表示手段に表示された画像の記録の要／不要を選択する工程と、
を含み、記録の要が選択された場合にのみ表示手段に表示された画像を記録することを特徴とする請求項９に記載の撮像方法。
【請求項１１】
撮像指示に応じて画像を撮像手段で撮像し、撮像された画像を記憶媒体に記録する撮像装置において、
一回の撮像指示で焦点位置を変えて複数枚の画像を前記撮像手段で撮像する撮像制御手段と、
撮像された画像のうち特定の画像を基準画像とし、該基準画像から人物の顔又は目を検出する顔又は目検出手段と、
前記顔又は目検出手段で検出された人物の顔又は目を前記基準画像中で囲う領域を合焦評価領域に設定する合焦評価領域設定手段と、
一回の撮像指示で撮像された各画像に対して、前記合焦評価領域設定手段で設定された合焦評価領域における合焦評価値を算出する合焦評価値演算手段と、
一回の撮像指示で撮像された複数枚の画像の中から合焦評価値が最も高い画像を選択する画像選択手段と、
前記画像選択手段で選択された画像を前記記憶媒体に記録する記録制御手段と、
を備えたことを特徴とする撮像装置。
【請求項１２】
撮像指示に応じて画像を撮像手段で撮像し、撮像された画像を記憶媒体に記録する撮像装置において、
一回の撮像指示で焦点位置を変えて複数枚の画像を前記撮像手段で撮像する撮像制御手段と、
一回の撮像指示で撮像された各画像に対して、顔又は目らしさの評価値を算出して人物の顔又は目を検出する顔又は目検出手段と、
前記顔又は目検出手段で検出された人物の顔又は目ごとに顔又は目らしさの評価値の加重平均値を算出し、最も顔又は目らしさの評価値の加重平均値が高い人物の顔又は目を選択し、撮像された画像のうち特定の画像を基準画像として、該基準画像中で該人物の顔又は目を囲う領域を合焦評価領域に設定する合焦評価領域設定手段と、
一回の撮像指示で撮像された各画像に対して、前記合焦評価領域設定手段で設定された合焦評価領域における合焦評価値を算出する合焦評価値演算手段と、
一回の撮像指示で撮像された複数枚の画像の中から合焦評価値が最も高い画像を選択する画像選択手段と、
前記画像選択手段で選択された画像を前記記憶媒体に記録する記録制御手段と、
を備えたことを特徴とする撮像装置。
【請求項１３】
撮像指示に応じて画像を撮像手段で撮像し、撮像された画像を記憶媒体に記録する撮像装置において、
一回の撮像指示で焦点位置を変えて複数枚の画像を前記撮像手段で撮像する撮像制御手段と、
一回の撮像指示で撮像された各画像に対して、顔又は目らしさの評価値を算出して人物の顔又は目を検出する顔又は目検出手段と、
前記顔又は目検出手段で検出された人物の顔又は目らしさの評価値が高い人物の顔又は目を選択し、その選択された回数が最も高い人物の顔又は目を選択し、撮像された画像のうち特定の画像を基準画像として、該基準画像中で該人物の顔又は目を囲う領域を合焦評価領域に設定する合焦評価領域設定手段と、
一回の撮像指示で撮像された各画像に対して、前記合焦評価領域設定手段で設定された合焦評価領域における合焦評価値を算出する合焦評価値演算手段と、
一回の撮像指示で撮像された複数枚の画像の中から合焦評価値が最も高い画像を選択する画像選択手段と、
前記画像選択手段で選択された画像を前記記憶媒体に記録する記録制御手段と、
を備えたことを特徴とする撮像装置。
【請求項１４】
撮像指示に応じて画像を撮像手段で撮像し、撮像された画像を記憶媒体に記録する撮像装置において、
一回の撮像指示で焦点位置を変えて複数枚の画像を前記撮像手段で撮像する撮像制御手段と、
撮像された画像のうち特定の画像を基準画像とし、該基準画像から顔又は目らしさの評価値を算出して人物の顔又は目を検出する顔又は目検出手段と、
前記顔又は目検出手段で検出された人物の顔又は目の中で顔又は目らしさの評価値が最も高い人物の顔又は目を選択し、前記基準画像中で該人物の顔又は目を囲う領域を合焦評価領域に設定する合焦評価領域設定手段と、
一回の撮像指示で撮像された各画像に対して、前記合焦評価領域設定手段で設定された合焦評価領域における合焦評価値を算出する合焦評価値演算手段と、
一回の撮像指示で撮像された複数枚の画像の中から合焦評価値が最も高い画像を選択する画像選択手段と、
前記画像選択手段で選択された画像を前記記憶媒体に記録する記録制御手段と、
を備えたことを特徴とする撮像装置。
【請求項１５】
各画像の動きベクトルを検出する動きベクトル検出手段と、
前記動きベクトル検出手段によって検出された動きベクトルに基づいて各画像に設定する合焦評価領域、又は、各画像全体を補正する補正手段と、
を備えたことを特徴とする請求項１２〜１４のいずれか一に記載の撮像装置。
【請求項１６】
前記撮像指示まで主要被写体に焦点を合わし続ける手段を備え、前記顔又は目検出手段は、最初に撮像された画像を前記基準画像とすることを特徴とする請求項１１〜１５のいずれか一項に記載の撮像装置。
【請求項１７】
前記撮像指示まで主要被写体に焦点を合わし続ける手段は、人物の顔検出を行って、人物の顔に焦点を合わし続けることを特徴とする請求項１６に記載の撮像装置。
【請求項１８】
前記撮像制御手段は、所定距離離れた位置の被写体に焦点が合う位置に初期の焦点位置を設定して、一回の撮像指示で焦点位置を変えて複数枚の画像を前記撮像手段で撮像し、前記顔又は目検出手段は、最初に撮像された画像を前記基準画像とすることを特徴とする請求項１１〜１５のいずれか一項に記載の撮像装置。
【請求項１９】
画像を表示する表示手段と、
前記画像選択手段で選択された画像を記録する前に、前記画像選択手段で選択された画像を前記表示手段に表示させる表示制御手段と、
前記表示手段に表示された画像の記録の要／不要を指示する指示手段と、
を備えて、前記記録制御手段は、前記指示手段で記録の要が指示された場合にのみ前記表示手段に表示された画像を前記記憶媒体に記録することを特徴とする請求項１１〜１８のいずれか一に記載の撮像装置。
【請求項２０】
前記指示手段で記録の不要が指示された場合に、
前記画像選択手段は、一回の撮像指示で撮像された複数枚の画像の中から前記合焦評価値が次に高い画像を選択し、
前記表示制御手段は、前記画像選択手段で選択された画像を前記表示手段に表示させ、
前記記録制御手段は、前記指示手段で記録の要が指示された場合にのみ前記表示手段に表示された画像を前記記憶媒体に記録することを特徴とする請求項１９に記載の撮像装置。
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】変更
【補正の内容】
【００１４】
請求項１に係る発明は、前記目的を達成するために、人物が含まれる画像を撮像する撮像方法において、本撮影の実行指示に応じて焦点位置を変えて複数枚の画像を撮像する工程と、撮像された画像のうち特定の画像を基準画像とし、該基準画像から人物の顔又は目を検出し、検出された人物の顔又は目を囲う領域を合焦評価領域に設定する工程と、撮像された画像ごとに前記合焦評価領域における合焦評価値を算出する工程と、合焦評価値が最も高い画像を選択する工程と、選択された画像を記録する工程と、からなることを特徴とする撮像方法を提供する。
【手続補正５】
【補正対象書類名】明細書
【補正対象項目名】００１５
【補正方法】変更
【補正の内容】
【００１５】
本発明では、まず、焦点位置を変えて複数枚の画像を撮像する。次に、撮像された画像のうち特定の画像（たとえば、最初に撮像された画像）を基準画像とし、その基準画像から人物の顔又は目を検出する。そして、検出された人物の顔又は目を囲う領域を合焦評価領域に設定し、設定された合焦評価領域で撮影されたすべての画像の合焦評価値を算出する。そして、すべての画像の合焦評価値が算出されたら、その中で最も合焦評価値が高い画像を選択し、選択した画像を記録する。これにより、画像の選択操作等の面倒な手間をかけずに人物の顔にピントが合った画像を簡単に撮影することができる。また、撮影指示後、ただちに撮影を開始できるので、シャッタタイムラグをなくすことができ、シャッタチャンスを逃すのを有効に防止できる。
【手続補正６】
【補正対象書類名】明細書
【補正対象項目名】００１６
【補正方法】変更
【補正の内容】
【００１６】
請求項２に係る発明は、前記目的を達成するために、複数の人物が含まれる画像を撮像する撮像方法において、本撮影の実行指示に応じて焦点位置を変えて複数枚の画像を撮像する工程と、撮像された画像ごとに顔又は目らしさの評価値を算出して、人物の顔又は目を検出する工程と、検出された人物の顔又は目ごとに顔又は目らしさの評価値の加重平均値を算出する工程と、顔又は目らしさの評価値の加重平均値が最も高い人物の顔又は目を選択し、撮像された画像のうち特定の画像を基準画像として、該基準画像中で該人物の顔又は目を囲う領域を合焦評価領域に設定する工程と、撮像された画像ごとに前記合焦評価領域における合焦評価値を算出する工程と、合焦評価値が最も高い画像を選択する工程と、選択された画像を記録する工程と、からなることを特徴とする撮像方法を提供する。
【手続補正７】
【補正対象書類名】明細書
【補正対象項目名】００１７
【補正方法】変更
【補正の内容】
【００１７】
本発明では、まず、焦点位置を変えて複数枚の画像を撮像する。次に、撮像された画像ごとに顔又は目らしさの評価値を算出して、人物の顔又は目を検出する。次に、検出された人物の顔又は目ごとに顔又は目らしさの評価値の加重平均値を算出する。ここで、各評価値に対する重み付けの仕方としては、たとえば、最初に撮像された画像の評価値に対して大きな重みを付ける方法を採ることができる。すなわち、最初の画像ほど撮影者が望んだシーン状態（顔の位置、向きなど）になっている可能性が高いので、最初に撮像された画像の評価値に対して大きな重みを付けることにより、撮影者が意図する人物の顔又は目が選択される可能性が高くなるからである。なお、ここでの加重平均には、各画像から得られた人物の顔又は目らしさの評価値に対して均一に重みを付ける場合も含まれる（いわゆる通常の平均値）。そして、このように顔又は目らしさの評価値の加重平均値を算出した後、その顔又は目らしさの評価値の加重平均値が最も高い人物の顔又は目を選択する。そして、撮像された画像のうち特定の画像を基準画像とし、その基準画像中でその人物の顔又は目を囲う領域を合焦評価領域に設定する。すなわち、画像中に複数の人物が含まれている場合において、顔又は目らしさの評価値の加重平均値が最も高い人物を主要被写体とし、その人物の顔又は目を囲う領域を合焦評価領域に設定する。なお、基準画像には、あらかじめ決められたＮ番目に撮影された画像（たとえば、最初に撮影された画像）が用いられ、この基準画像中で主要被写体として選出された人物の顔又は目を囲って合焦評価領域を設定する。このように合焦評価領域を設定後、設定された合焦評価領域で撮像されたすべての画像の合焦評価値を算出する。すべての画像の合焦評価値が算出されたら、その中で最も合焦評価値が高い画像を選択し、選択した画像を記録する。これにより、画像の選択操作等の面倒な手間をかけずに人物の顔にピントが合った画像を簡単に撮影することができる。また、画像中に複数の人物が含まれている場合でも適切に主要被写体を選択して、その主要被写体の顔にピントが合った画像を撮影することができる。さらに、撮影指示後、ただちに撮影を開始できるので、シャッタタイムラグをなくすことができ、シャッタチャンスを逃すのを有効に防止できる。
【手続補正８】
【補正対象書類名】明細書
【補正対象項目名】００１８
【補正方法】変更
【補正の内容】
【００１８】
請求項３に係る発明は、前記目的を達成するために、複数の人物が含まれる画像を撮像する撮像方法において、本撮影の実行指示に応じて焦点位置を変えて複数枚の画像を撮像する工程と、撮像された画像ごとに顔又は目らしさの評価値を算出して、人物の顔又は目を検出する工程と、撮像された各画像から最も顔又は目らしさの評価値が高い人物の顔又は目を選択する工程と、最も顔又は目らしさの評価値が高い人物の顔又は目として選択された回数が最も高い人物の顔又は目を選択し、撮像された画像のうち特定の画像を基準画像として、該基準画像中で該人物の顔又は目を囲う領域を合焦評価領域に設定する工程と、撮像された画像ごとに前記合焦評価領域における合焦評価値を算出する工程と、合焦評価値が最も高い画像を選択する工程と、選択された画像を記録する工程と、からなることを特徴とする撮像方法を提供する。
【手続補正９】
【補正対象書類名】明細書
【補正対象項目名】００１９
【補正方法】変更
【補正の内容】
【００１９】
本発明では、まず、焦点位置を変えて複数枚の画像を撮像する。次に、撮像された画像ごとに顔又は目らしさの評価値を算出して、人物の顔又は目を検出する。次に、撮像された各画像から人物の顔又は目らしさの評価値が最も高い人物の目又は顔を選択する。次に、最も顔又は目らしさの評価値が高い人物の顔又は目として選択された回数の多い人物の顔又は目を選択し、基準画像中でその人物の顔又は目を囲う領域を合焦評価領域に設定する。すなわち、画像中に複数の人物が含まれている場合において、各画像で顔又は目らしさの評価値が最も高い人物を主要被写体とし、その人物の顔又は目を囲う領域を合焦評価領域に設定する。なお、基準画像には、あらかじめ決められたＮ番目に撮影された画像（たとえば、最初に撮影された画像）が用いられ、この基準画像中で主要被写体として選出された人物の顔又は目を囲って合焦評価領域を設定する。このように合焦評価領域を設定後、設定された合焦評価領域で撮像されたすべての画像の合焦評価値を算出する。すべての画像の合焦評価値が算出されたら、その中で最も合焦評価値が高い画像を選択し、選択した画像を記録する。これにより、画像の選択操作等の面倒な手間をかけずに人物の顔にピントが合った画像を簡単に撮影することができる。また、画像中に複数の人物が含まれている場合でも適切に主要被写体を選択して、その主要被写体の顔にピントが合った画像を撮影することができる。さらに、撮影指示後、ただちに撮影を開始できるので、シャッタタイムラグをなくすことができ、シャッタチャンスを逃すのを有効に防止できる。
【手続補正１０】
【補正対象書類名】明細書
【補正対象項目名】００２０
【補正方法】変更
【補正の内容】
【００２０】
請求項４に係る発明は、前記目的を達成するために、複数の人物が含まれる画像を撮像する撮像方法において、本撮影の実行指示に応じて焦点位置を変えて複数枚の画像を撮像する工程と、撮像された画像のうち特定の画像を基準画像とし、該基準画像から顔又は目らしさの評価値を算出して、人物の顔又は目を検出する工程と、検出された人物の顔又は目の中で顔又は目らしさの評価値が最も高い人物の顔又は目を選択し、前記基準画像中で該人物の顔又は目を囲う領域を合焦評価領域に設定する工程と、撮像された画像ごとに前記合焦評価領域における合焦評価値を算出する工程と、合焦評価値が最も高い画像を選択する工程と、選択された画像を記録する工程と、からなることを特徴とする撮像方法を提供する。
【手続補正１１】
【補正対象書類名】明細書
【補正対象項目名】００２１
【補正方法】変更
【補正の内容】
【００２１】
本発明では、まず、焦点位置を変えて複数枚の画像を撮像する。そして、撮像された画像のうち特定の画像（たとえば、最初に撮像された画像）を基準画像とし、その基準画像から顔又は目らしさの評価値を算出して、人物の顔又は目を検出する。そして、検出された人物の顔又は目の中で顔又は目らしさの評価値が最も高い人物の顔又は目を選択し、基準画像中でその人物の顔又は目を囲う領域を合焦評価領域に設定する。すなわち、画像中に複数の人物が含まれている場合において、特定の画像（基準画像）で顔又は目らしさの評価値が最も高い人物を主要被写体とし、その人物の顔又は目を囲う領域を合焦評価領域に設定する。なお、最初の画像ほど撮影者が望んだシーン状態（顔の位置、向きなど）になっている可能性が高いので、基準画像には、最初に撮像された画像を用いることが好ましい。このようにして合焦評価領域を設定後、設定された合焦評価領域で撮像されたすべての画像の合焦評価値を算出する。すべての画像の合焦評価値が算出されたら、その中で最も合焦評価値が高い画像を選択し、選択した画像を記録する。これにより、画像の選択操作等の面倒な手間をかけずに人物の顔にピントが合った画像を簡単に撮影することができる。また、画像中に複数の人物が含まれている場合でも適切に主要被写体を選択して、その主要被写体の顔にピントが合った画像を撮影することができる。さらに、撮影指示後、ただちに撮影を開始できるので、シャッタタイムラグをなくすことができ、シャッタチャンスを逃すのを有効に防止できる。
【手続補正１２】
【補正対象書類名】明細書
【補正対象項目名】００２２
【補正方法】変更
【補正の内容】
【００２２】
請求項５に係る発明は、前記目的を達成するために、各画像の動きベクトルを取得し、取得した動きベクトルに基づいて各画像に設定する合焦評価領域、又は、各画像全体を補正することを特徴とする請求項１〜４のいずれか一に記載の撮像方法を提供する。
【手続補正１３】
【補正対象書類名】明細書
【補正対象項目名】００２３
【補正方法】変更
【補正の内容】
【００２３】
本発明では、請求項１〜４に係る発明において、各画像の動きベクトルを取得し、取得した動きベクトルに基づいて各画像に設定する合焦評価領域を補正する。あるいは、各画像全体を補正する。これにより、被写体ブレや装置ブレによって、顔位置が移動した場合であっても、同一人物の顔又は目に対して合焦評価を正確に行うことができる。
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】変更
【補正の内容】
【００２７】
請求項６に係る発明は、前記目的を達成するために、前記本撮影の実行が指示されるまで、主要被写体に焦点を合わし続ける工程を含み、前記基準画像は、最初に撮像された画像とすることを特徴とする請求項１〜５のいずれか一項に記載の撮像方法を提供する。
請求項７に係る発明は、前記目的を達成するために、前記本撮影の実行が指示されるまで、主要被写体に焦点を合わし続ける工程では、人物の顔検出を行って、人物の顔に焦点を合わし続けることを特徴とする請求項６に記載の撮像方法を提供する。
請求項８に係る発明は、前記目的を達成するために、前記本撮影の実行指示に応じて焦点位置を変えて複数枚の画像を撮像する工程では、所定距離離れた位置の被写体に焦点が合う位置に初期の焦点位置を設定して焦点位置を変えて複数枚の画像を撮像し、前記基準画像は、最初に撮像された画像とすることを特徴とする請求項１〜５のいずれか一項に記載の撮像方法を提供する。
【手続補正１８】
【補正対象書類名】明細書
【補正対象項目名】００２９
【補正方法】変更
【補正の内容】
【００２９】
本発明によれば、合焦評価値が最も高く、最も適切な画像として選択された画像を記録する前に、その画像が表示手段に表示される。そして、その画像の記録の要／不要が問われ、記録の要が選択された場合にのみ画像が記録される。これにより、不要な画像が記録されるのを防止することができる。
【手続補正１９】
【補正対象書類名】明細書
【補正対象項目名】００３１
【補正方法】変更
【補正の内容】
【００３１】
本発明によれば、請求項９に係る発明おいて、記録の不要が選択された場合に、撮像された複数枚の画像の中から合焦評価値が、次に高い画像が選択され、その画像が表示手段に表示される。そして、その画像の記録の要／不要が問われ、記録の要が選択された場合にのみ、その画像が記録される。これにより、適切な画像を簡単に選んで記録することができる。
【手続補正２０】
【補正対象書類名】明細書
【補正対象項目名】００３２
【補正方法】削除
【補正の内容】
【手続補正２１】
【補正対象書類名】明細書
【補正対象項目名】００３３
【補正方法】削除
【補正の内容】
【手続補正２２】
【補正対象書類名】明細書
【補正対象項目名】００３４
【補正方法】変更
【補正の内容】
【００３４】
請求項１１に係る発明は、前記目的を達成するために、撮像指示に応じて画像を撮像手段で撮像し、撮像された画像を記憶媒体に記録する撮像装置において、一回の撮像指示で焦点位置を変えて複数枚の画像を前記撮像手段で撮像する撮像制御手段と、撮像された画像のうち特定の画像を基準画像とし、該基準画像から人物の顔又は目を検出する顔又は目検出手段と、前記顔又は目検出手段で検出された人物の顔又は目を前記基準画像中で囲う領域を合焦評価領域に設定する合焦評価領域設定手段と、一回の撮像指示で撮像された各画像に対して、前記合焦評価領域設定手段で設定された合焦評価領域における合焦評価値を算出する合焦評価値演算手段と、一回の撮像指示で撮像された複数枚の画像の中から合焦評価値が最も高い画像を選択する画像選択手段と、前記画像選択手段で選択された画像を前記記憶媒体に記録する記録制御手段と、を備えたことを特徴とする撮像装置を提供する。
【手続補正２３】
【補正対象書類名】明細書
【補正対象項目名】００３５
【補正方法】変更
【補正の内容】
【００３５】
本発明によれば、請求項１に係る発明と同様に、画像の選択操作等の面倒な手間をかけずに人物の顔にピントが合った画像を簡単に撮影することができる。また、撮影指示後、ただちに撮影を開始できるので、シャッタタイムラグをなくすことができ、シャッタチャンスを逃すのを有効に防止できる。
【手続補正２４】
【補正対象書類名】明細書
【補正対象項目名】００３６
【補正方法】変更
【補正の内容】
【００３６】
請求項１２に係る発明は、前記目的を達成するために、撮像指示に応じて画像を撮像手段で撮像し、撮像された画像を記憶媒体に記録する撮像装置において、一回の撮像指示で焦点位置を変えて複数枚の画像を前記撮像手段で撮像する撮像制御手段と、一回の撮像指示で撮像された各画像に対して、顔又は目らしさの評価値を算出して人物の顔又は目を検出する顔又は目検出手段と、前記顔又は目検出手段で検出された人物の顔又は目ごとに顔又は目らしさの評価値の加重平均値を算出し、最も顔又は目らしさの評価値の加重平均値が高い人物の顔又は目を選択し、撮像された画像のうち特定の画像を基準画像として、該基準画像中で該人物の顔又は目を囲う領域を合焦評価領域に設定する合焦評価領域設定手段と、一回の撮像指示で撮像された各画像に対して、前記合焦評価領域設定手段で設定された合焦評価領域における合焦評価値を算出する合焦評価値演算手段と、一回の撮像指示で撮像された複数枚の画像の中から合焦評価値が最も高い画像を選択する画像選択手段と、前記画像選択手段で選択された画像を前記記憶媒体に記録する記録制御手段と、を備えたことを特徴とする撮像装置を提供する。
【手続補正２５】
【補正対象書類名】明細書
【補正対象項目名】００３７
【補正方法】変更
【補正の内容】
【００３７】
本発明によれば、請求項２に係る発明と同様に、画像の選択操作等の面倒な手間をかけずに人物の顔にピントが合った画像を簡単に撮影することができる。また、画像中に複数の人物が含まれている場合でも適切に主要被写体を選択して、その主要被写体の顔にピントが合った画像を撮影することができる。さらに、撮影指示後、ただちに撮影を開始できるので、シャッタタイムラグをなくすことができ、シャッタチャンスを逃すのを有効に防止できる。
【手続補正２６】
【補正対象書類名】明細書
【補正対象項目名】００３８
【補正方法】変更
【補正の内容】
【００３８】
請求項１３に係る発明は、前記目的を達成するために、撮像指示に応じて画像を撮像手段で撮像し、撮像された画像を記憶媒体に記録する撮像装置において、一回の撮像指示で焦点位置を変えて複数枚の画像を前記撮像手段で撮像する撮像制御手段と、一回の撮像指示で撮像された各画像に対して、顔又は目らしさの評価値を算出して人物の顔又は目を検出する顔又は目検出手段と、前記顔又は目検出手段で検出された人物の顔又は目らしさの評価値が高い人物の顔又は目を選択し、その選択された回数が最も高い人物の顔又は目を選択し、撮像された画像のうち特定の画像を基準画像として、該基準画像中で該人物の顔又は目を囲う領域を合焦評価領域に設定する合焦評価領域設定手段と、一回の撮像指示で撮像された各画像に対して、前記合焦評価領域設定手段で設定された合焦評価領域における合焦評価値を算出する合焦評価値演算手段と、一回の撮像指示で撮像された複数枚の画像の中から合焦評価値が最も高い画像を選択する画像選択手段と、前記画像選択手段で選択された画像を前記記憶媒体に記録する記録制御手段と、を備えたことを特徴とする撮像装置を提供する。
【手続補正２７】
【補正対象書類名】明細書
【補正対象項目名】００３９
【補正方法】変更
【補正の内容】
【００３９】
本発明によれば、請求項３に係る発明と同様に、画像の選択操作等の面倒な手間をかけずに人物の顔にピントが合った画像を簡単に撮影することができる。また、画像中に複数の人物が含まれている場合でも適切に主要被写体を選択して、その主要被写体の顔にピントが合った画像を撮影することができる。さらに、撮影指示後、ただちに撮影を開始できるので、シャッタタイムラグをなくすことができ、シャッタチャンスを逃すのを有効に防止できる。
【手続補正２８】
【補正対象書類名】明細書
【補正対象項目名】００４０
【補正方法】変更
【補正の内容】
【００４０】
請求項１４に係る発明は、前記目的を達成するために、撮像指示に応じて画像を撮像手段で撮像し、撮像された画像を記憶媒体に記録する撮像装置において、一回の撮像指示で焦点位置を変えて複数枚の画像を前記撮像手段で撮像する撮像制御手段と、撮像された画像のうち特定の画像を基準画像とし、該基準画像から顔又は目らしさの評価値を算出して人物の顔又は目を検出する顔又は目検出手段と、前記顔又は目検出手段で検出された人物の顔又は目の中で顔又は目らしさの評価値が最も高い人物の顔又は目を選択し、前記基準画像中で該人物の顔又は目を囲う領域を合焦評価領域に設定する合焦評価領域設定手段と、一回の撮像指示で撮像された各画像に対して、前記合焦評価領域設定手段で設定された合焦評価領域における合焦評価値を算出する合焦評価値演算手段と、一回の撮像指示で撮像された複数枚の画像の中から合焦評価値が最も高い画像を選択する画像選択手段と、前記画像選択手段で選択された画像を前記記憶媒体に記録する記録制御手段と、を備えたことを特徴とする撮像装置を提供する。
【手続補正２９】
【補正対象書類名】明細書
【補正対象項目名】００４１
【補正方法】変更
【補正の内容】
【００４１】
本発明によれば、請求項４に係る発明と同様に、画像の選択操作等の面倒な手間をかけずに人物の顔にピントが合った画像を簡単に撮影することができる。また、画像中に複数の人物が含まれている場合でも適切に主要被写体を選択して、その主要被写体の顔にピントが合った画像を撮影することができる。さらに、撮影指示後、ただちに撮影を開始できるので、シャッタタイムラグをなくすことができ、シャッタチャンスを逃すのを有効に防止できる。
【手続補正３０】
【補正対象書類名】明細書
【補正対象項目名】００４２
【補正方法】変更
【補正の内容】
【００４２】
請求項１５に係る発明は、前記目的を達成するために、各画像の動きベクトルを検出する動きベクトル検出手段と、前記動きベクトル検出手段によって検出された動きベクトルに基づいて各画像に設定する合焦評価領域、又は、各画像全体を補正する補正手段と、を備えたことを特徴とする請求項１１〜１４のいずれか一に記載の撮像装置を提供する。
【手続補正３１】
【補正対象書類名】明細書
【補正対象項目名】００４３
【補正方法】変更
【補正の内容】
【００４３】
本発明によれば、請求項５に係る発明と同様に、被写体ブレや装置ブレによって、顔位置が移動した場合であっても、同一人物の顔又は目に対して合焦評価を正確に行うことができる。
【手続補正３２】
【補正対象書類名】明細書
【補正対象項目名】００４４
【補正方法】削除
【補正の内容】
【手続補正３３】
【補正対象書類名】明細書
【補正対象項目名】００４５
【補正方法】削除
【補正の内容】
【手続補正３４】
【補正対象書類名】明細書
【補正対象項目名】００４６
【補正方法】削除
【補正の内容】
【手続補正３５】
【補正対象書類名】明細書
【補正対象項目名】００４７
【補正方法】変更
【補正の内容】
【００４７】
請求項１６に係る発明は、前記目的を達成するために、前記撮像指示まで主要被写体に焦点を合わし続ける手段を備え、前記顔又は目検出手段は、最初に撮像された画像を前記基準画像とすることを特徴とする請求項１１〜１５のいずれか一項に記載の撮像装置を提供する。
請求項１７に係る発明は、前記目的を達成するために、前記撮像指示まで主要被写体に焦点を合わし続ける手段は、人物の顔検出を行って、人物の顔に焦点を合わし続けることを特徴とする請求項１６に記載の撮像装置を提供する。
請求項１８に係る発明は、前記目的を達成するために、前記撮像制御手段は、所定距離離れた位置の被写体に焦点が合う位置に初期の焦点位置を設定して、一回の撮像指示で焦点位置を変えて複数枚の画像を前記撮像手段で撮像し、前記顔又は目検出手段は、最初に撮像された画像を前記基準画像とすることを特徴とする請求項１１〜１５のいずれか一項に記載の撮像装置を提供する。
【手続補正３６】
【補正対象書類名】明細書
【補正対象項目名】００４８
【補正方法】変更
【補正の内容】
【００４８】
請求項１９に係る発明は、前記目的を達成するために、画像を表示する表示手段と、前記画像選択手段で選択された画像を記録する前に、前記画像選択手段で選択された画像を前記表示手段に表示させる表示制御手段と、前記表示手段に表示された画像の記録の要／不要を指示する指示手段と、を備えて、前記記録制御手段は、前記指示手段で記録の要が指示された場合にのみ前記表示手段に表示された画像を前記記憶媒体に記録することを特徴とする請求項１１〜１８のいずれか一に記載の撮像装置を提供する。
【手続補正３７】
【補正対象書類名】明細書
【補正対象項目名】００４９
【補正方法】変更
【補正の内容】
【００４９】
本発明によれば、請求項９に係る発明と同様に、不要な画像が記録されるのを防止することができる。
【手続補正３８】
【補正対象書類名】明細書
【補正対象項目名】００５０
【補正方法】変更
【補正の内容】
【００５０】
請求項２０に係る発明は、前記目的を達成するために、前記指示手段で記録の不要が指示された場合に、前記画像選択手段は、一回の撮像指示で撮像された複数枚の画像の中から前記合焦評価値が次に高い画像を選択し、前記表示制御手段は、前記画像選択手段で選択された画像を前記表示手段に表示させ、前記記録制御手段は、前記指示手段で記録の要が指示された場合にのみ前記表示手段に表示された画像を前記記憶媒体に記録することを特徴とする請求項１９に記載の撮像装置を提供する。
【手続補正３９】
【補正対象書類名】明細書
【補正対象項目名】００５１
【補正方法】変更
【補正の内容】
【００５１】
本発明によれば、請求項１０に係る発明と同様に、適切な画像を簡単に選んで記録することができる。